【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
方法であって、
１つまたは複数のコンピューティング装置により、コンテンツを含み且つステートフル・オブジェクトに関連付けられる第１の通知を、リアル・タイム・プッシュ・サービスを通じてモバイル・クライアント・コンピューティング装置に送信することであって、
前記ステートフル・オブジェクトは、ユーザ向け情報を含み、
前記第１の通知が送信される場合、前記第１の通知のコンテンツは、前記ステートフル・オブジェクトに１回目に関連付けられたユーザ向け情報の所定の一部分を含み、
前記送信することは、
前記第１の通知の優先順位、
前記モバイル・クライアント・コンピューティング装置の第１の電力状態、および
前記モバイル・クライアント・コンピューティング装置の第１のネットワーキング状態により決定される、前記送信すること、
１つまたは複数のコンピューティング装置により、前記ステートフル・オブジェクトの状態変化に応答して、前記ステートフル・オブジェクトの状態変化に基づく前記コンテンツに対する更新を含む第２の通知を、前記リアル・タイム・プッシュ・サービスを通じて前記モバイル・クライアント・コンピューティング装置に送信することであって、
前記コンテンツに対する更新は、
前記第２の通知が送信される場合、前記ステートフル・オブジェクトに２回目に関連付けられるユーザ向け情報の所定の一部分を含み、
前記送信することは、
前記第２の通知の優先順位、
前記モバイル・クライアント・コンピューティング装置の第２の電力状態、および
前記モバイル・クライアント・コンピューティング装置の第２のネットワーキング状態により決定される、前記送信すること、を備え
前記２回目は、前記第１回目よりも時間的に遅い、方法。
【請求項２】
前記第１の通知または第２の通知は、前記モバイル・クライアント・コンピューティング装置による表示のために構成される、請求項１に記載の方法。
【請求項３】
前記ステートフル・オブジェクトが、ソーシャル・ネットワーキング・システムによってホストされる、請求項１に記載の方法。
【請求項４】
前記ステートフル・オブジェクトが、前記ソーシャル・ネットワーキング・システムに対するユーザ・ポストである、請求項３に記載の方法。
【請求項５】
前記ステートフル・オブジェクトが、ソーシャル・ネットワーキング・システムによって維持されるソーシャル・グラフ内のノードに関連付けられる、請求項１に記載の方法。
【請求項６】
前記第１の通知は、メッセージおよびペイロードを含む、請求項１に記載の方法。
【請求項７】
前記リアル・タイム・プッシュ・サービスは、チャネル・サーバ、ＭＱ  Ｔｅｌｅｍｅｔｒｙ  Ｔｒａｎｓｐｏｒｔ（ＭＱＴＴ）サーバ、およびキャリア・ネットワークによってホストされるプッシュ・サービスを含む、請求項１に記載の方法。
【請求項８】
前記ステートフル・オブジェクトは、ユーザ向け情報を含み、
前記第１の通知が送信される場合、前記第１の通知内の前記コンテンツは、前記ステートフル・オブジェクトに関連するすべてのユーザ向け情報を含み、
前記第１の通知内になかった前記第２の通知が送信される場合、前記第２の通知内の更新は、前記ステートフル・オブジェクトに関連するすべてのユーザ向け情報を含む、請求項１に記載の方法。
【請求項９】
１つまたは複数のコンピュータ可読非一時的記憶媒体であって、
実行されたときに、
コンテンツを含み且つステートフル・オブジェクトに関連付けられる第１の通知を、リアル・タイム・プッシュ・サービスを通じてモバイル・クライアント・コンピューティング装置に送信することであって、
前記ステートフル・オブジェクトは、ユーザ向け情報を含み、
前記第１の通知が送信される場合、前記第１の通知のコンテンツは、前記ステートフル・オブジェクトに１回目に関連付けられたユーザ向け情報の所定の一部分を含み、
前記送信することは、
前記第１の通知の優先順位、
前記モバイル・クライアント・コンピューティング装置の第１の電力状態、および
前記モバイル・クライアント・コンピューティング装置の第１のネットワーキング状態により決定される、前記送信すること、
前記ステートフル・オブジェクトの状態変化に応答して、前記ステートフル・オブジェクトの状態変化に基づく前記コンテンツに対する更新を含む第２の通知を、前記リアル・タイム・プッシュ・サービスを通じて前記モバイル・クライアント・コンピューティング装置に送信することであって、
前記コンテンツに対する更新は、
前記第２の通知が送信される場合、前記ステートフル・オブジェクトに２回目に関連付けられたユーザ向け情報の所定の一部分を含み、
前記２回目は、前記第１回目よりも遅く、
前記送信することは、
前記第２の通知の優先順位、
前記モバイル・クライアント・コンピューティング装置の第２の電力状態、および
前記モバイル・クライアント・コンピューティング装置の第２のネットワーキング状態により決定される、前記送信すること、を実行するように動作可能なソフトウェアを実装する１つまたは複数のコンピュータ可読非一時的記憶媒体。
【請求項１０】
前記第１のまたは第２の通知が、前記モバイル・クライアント・コンピューティング装置による表示のために構成される、請求項９に記載の１つまたは複数のコンピュータ可読非一時的記憶媒体。
【請求項１１】
前記第１の通知は、メッセージおよびペイロードを含む、請求項９に記載の１つまたは複数のコンピュータ可読非一時的記憶媒体。
【請求項１２】
前記リアル・タイム・プッシュ・サービスは、チャネル・サーバ、ＭＱ  Ｔｅｌｅｍｅｔｒｙ  Ｔｒａｎｓｐｏｒｔ（ＭＱＴＴ）サーバ、およびキャリア・ネットワークによってホストされるプッシュ・サービスを含む、請求項９に記載の１つまたは複数のコンピュータ可読非一時的記憶媒体。
【請求項１３】
前記ステートフル・オブジェクトは、ユーザ向け情報を含み、
前記第１の通知が送信される場合、前記第１の通知内の前記コンテンツは、前記ステートフル・オブジェクトに関連するすべてのユーザ向け情報を含み、
前記第１の通知内になかった前記第２の通知が送信される場合、前記第２の通知内の前記更新は、前記ステートフル・オブジェクトに関連するすべてのユーザ向け情報を含む、請求項９に記載の１つまたは複数のコンピュータ可読非一時的記憶媒体。
【請求項１４】
システムであって、
１つまたは複数のプロセッサと、
前記プロセッサに結合され、且つ前記１つまたは複数のプロセッサによって実行可能な命令を含むメモリであって、前記１つまたは複数のプロセッサが、前記命令を実行したときに、
コンテンツを含み且つステートフル・オブジェクトに関連付けられる第１の通知を、リアル・タイム・プッシュ・サービスを通じてモバイル・クライアント・コンピューティング装置に送信することであって、
前記ステートフル・オブジェクトは、ユーザ向け情報を含み、
前記第１の通知が送信される場合、前記第１の通知のコンテンツは、前記ステートフル・オブジェクトに１回目に関連付けられるユーザ向け情報の所定の一部分を含み、
前記送信することは、
前記第１の通知の優先順位、
前記モバイル・クライアント・コンピューティング装置の第１の電力状態、および
前記モバイル・クライアント・コンピューティング装置の第１のネットワーキング状態により決定される、前記送信すること、
前記ステートフル・オブジェクトの状態変化に応答して、前記ステートフル・オブジェクトの状態変化に基づく前記コンテンツに対する更新を含む第２の通知を、前記リアル・タイム・プッシュ・サービスを通じて前記モバイル・クライアント・コンピューティング装置に送信すること、
前記コンテンツに対する更新は、
前記第２の通知が送信される場合、前記ステートフル・オブジェクトに２回目に関連付けられるユーザ向け情報の所定の一部分を含み、
前記２回目は、前記第１回目よりも遅く、
前記送信することは、
前記第２の通知の優先順位、
前記モバイル・クライアント・コンピューティング装置の第２の電力状態、および
前記モバイル・クライアント・コンピューティング装置の第２のネットワーキング状態により決定される、前記送信すること、を実行するように動作可能である、前記メモリとを備える、システム。
【請求項１５】
前記第１のまたは第２の通知は、前記モバイル・クライアント・コンピューティング装置による表示のために構成される、請求項１４に記載のシステム。